(57)【要約】【課題】ベクトル地図データを用いた地図画像の生成の仕組をベースに、気候を考慮した色付けの環境をほぼ自動的に構築することのできる手法を提供する。【解決手段】端末装置から地図の表示地域の指定を受け付ける手段と、緯度毎の万年雪の下限の標高および森林限界の標高に対して色情報を対応付けた色付けテーブルに基づき、ベクトル地図データから地図画像を生成する手段と、前記指定された表示地域の地図画像を前記端末装置に送信する手段とを備える。【選択図】図１
2014066741.tif 000002
【特許請求の範囲】
【請求項１】
端末装置から地図の表示地域の指定を受け付ける手段と、
緯度毎の万年雪の下限の標高および森林限界の標高に対して色情報を対応付けた色付けテーブルに基づき、ベクトル地図データから地図画像を生成する手段と、
前記指定された表示地域の地図画像を前記端末装置に送信する手段と
を備えたことを特徴とする地図情報提供装置。
【請求項２】
請求項１に記載の地図情報提供装置において、
緯度０°における万年雪の下限の標高および森林限界の標高、ならびに、緯度毎の緯度０°に対する相対日射量に基づき、緯度０°における万年雪の下限の標高および森林限界の標高に緯度毎の相対日射量を乗算して緯度毎の万年雪の下限の標高および森林限界の標高を求めるとともに、各標高に対して色情報を対応付けることで、緯度と標高と色情報を対応付けた色付けテーブルを生成する手段
を備えたことを特徴とする地図情報提供装置。
【請求項３】
請求項２に記載の地図情報提供装置において、
前記色付けテーブルを生成する手段は、各緯度における万年雪の下限の標高より所定値以上の標高について積雪を表わす色情報を設定し、各緯度における森林限界の標高付近について枯れた樹木を表わす色情報を設定し、各緯度における標高０付近について生きた樹木を表わす色情報を設定する
ことを特徴とする地図情報提供装置。
【請求項４】
請求項１乃至３のいずれか一項に記載の地図情報提供装置において、
前記色付けテーブルに対し、季節変化による補正を行う手段
を更に備えたことを特徴とする地図情報提供装置。
【請求項５】
請求項１乃至４のいずれか一項に記載の地図情報提供装置において、
前記色付けテーブルに対し、特定事象による補正を行う手段
を更に備えたことを特徴とする地図情報提供装置。
【請求項６】
地図情報提供装置が実行する方法であって、
端末装置から地図の表示地域の指定を受け付ける工程と、
緯度毎の万年雪の下限の標高および森林限界の標高に対して色情報を対応付けた色付けテーブルに基づき、ベクトル地図データから地図画像を生成する工程と、
前記指定された表示地域の地図画像を前記端末装置に送信する工程と
を備えたことを特徴とする地図情報提供方法。
【発明の詳細な説明】
【技術分野】
【０００１】
本発明は、インターネット等のネットワークを介して地図情報を提供する技術に関する。
【背景技術】
【０００２】
地図には用途に応じて種々のものが存在するが、その一態様として、山間部や平地部を色分けすることで各地点の性質を直感的に理解しやすくしたものがある。
【先行技術文献】
【特許文献】
【０００３】
【特許文献１】特開２００５−３３８７４８号公報
【発明の概要】
【発明が解決しようとする課題】
【０００４】
この種の地図は、航空写真や衛星写真等を参考にして全て手作業によって地図データに色付けのための設定が行われるものであり、多大な工数を要していた。
【０００５】
また、航空写真や衛星写真そのものを地図画像として提供することで、地図データへの色付けのための設定は不要となるが、航空写真や衛星写真は画像データであるため膨大な画像データを蓄積しておかなければならず、ベクトル地図データからその都度に地図画像を生成するといった効率的な運用は行えなかった。
【０００６】
ちなみに、一般に、ユーザの操作する端末装置からの地図表示要求に応えて地図画像を提供するサーバ装置では、データ量の大きい地図画像を予め蓄積しておくには膨大な記憶領域が必要となるため、ベクトル形式の地図データから要求の都度に地図画像を描画（ラスタライズ）して生成するようにしている。
【０００７】
また、航空写真や衛星写真は更新のために新たな撮影を要し、緯度・経度との位置合わせ等の作業を要することから、頻繁に更新することは困難であり、季節の変化等に応じて現時点の状態を反映することはできなかった。
【０００８】
一方、特許文献１には、都会地域と田舎地域のそれぞれの特性に適した形態で地図表示を行うため、地図表示領域の地域内にある建物図形の数から都会地域か田舎地域かを判定し、都会用パレットと田舎用パレットとを切り替え、それらのパレットの色セットに基づいて地図画像を生成する技術が開示されている。しかし、都会地域であるか田舎地域であるかという点しか考慮されておらず、上述した問題を解決できるものではなかった。
【０００９】
本発明は上記の従来の問題点に鑑み提案されたものであり、その目的とするところは、ベクトル地図データを用いた地図画像の生成の仕組をベースに、気候を考慮した色付けの環境をほぼ自動的に構築することのできる手法を提供することにある。
【課題を解決するための手段】
【００１０】
上記の課題を解決するため、本発明にあっては、端末装置から地図の表示地域の指定を受け付ける手段と、緯度毎の万年雪の下限の標高および森林限界の標高に対して色情報を対応付けた色付けテーブルに基づき、ベクトル地図データから地図画像を生成する手段と、前記指定された表示地域の地図画像を前記端末装置に送信する手段とを備えるようにしている。
【発明の効果】
【００１１】
本発明にあっては、ベクトル地図データを用いた地図画像の生成の仕組をベースに、気候を考慮した色付けの環境をほぼ自動的に構築することができる。
【図面の簡単な説明】
【００１２】
【図１】本発明の一実施形態にかかるシステムの構成例を示す図である。
【図２】色付けテーブルのデータ構造例を示す図である。
【図３】初期色付けテーブル作成の処理例を示すフローチャートである。
【図４】日射量の計算の説明図である。
【図５】緯度と相対日射量の関係を示す図である。
【図６】緯度に対する万年雪の下限と森林限界の標高の例を示す図である。
【図７】桜の開花に応じた補正を行う例を示す図である。
【図８】紅葉に応じた補正を行う例を示す図である。
【図９】地図表示時の処理例を示すシーケンス図である。
【図１０】線形補間の例を示す図である。
【図１１】表示される地図の例を示す図である。
【発明を実施するための形態】
【００１３】
以下、本発明の好適な実施形態につき説明する。
【００１４】
＜構成＞
図１は本発明の一実施形態にかかるシステムの構成例を示す図である。
【００１５】
図１において、システムは、インターネット等のネットワーク１に、ユーザが操作するスマートフォン、携帯電話、ＰＣ（Personal Computer）等の端末装置２が複数接続されている。端末装置２は、一般的なブラウザ（Ｗｅｂブラウザ）２１を備えている。ブラウザ２１は、インターネットの標準プロトコルであるＨＴＴＰ（Hyper Text Transfer Protocol）等に従い、ＨＴＭＬ（Hyper Text Markup Language）等の言語で記述されたページデータの要求・取得・表示およびフォームデータの送信等を行う機能を有している。
【００１６】
一方、ネットワーク１には、端末装置２からの要求に応じて当該端末装置２に対して地図情報を提供する地図情報提供装置３が接続されている。
【００１７】
端末装置２および地図情報提供装置３は、一般的なコンピュータ装置のハードウェア構成を有している。
【００１８】
地図情報提供装置３は、機能部として、初期色付けテーブル生成部３０１と色付けテーブル季節補正部３０２と色付けテーブル特定事象補正部３０３と地図配信要求受付部３０４と地図描画部３０５と地図配信部３０６とを備えている。
【００１９】
これらの機能部は、地図情報提供装置３を構成するコンピュータ装置のＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ装置上に配置される必要はなく、必要に応じて分散される形態であってもよい。
【００２０】
また、地図情報提供装置３が利用するデータとして、色付けテーブル３１１とベクトル地図データ３１２と地図デザインデータ３１３とが設けられている。これらは、地図情報提供装置３を構成するコンピュータ装置内のＨＤＤ（Hard Disk Drive）等の記憶媒体上の記憶領域に所定の形式で保持される。なお、色付けテーブル３１１とベクトル地図データ３１２と地図デザインデータ３１３は必ずしも地図情報提供装置３内に配置する必要はなく、他のコンピュータ装置上に配置してもよい。
【００２１】
図２は色付けテーブル３１１のデータ構造例を示す図であり、「緯度」「標高」「色情報（ＲＧＢ）」等の項目（フィールド）を有している。「緯度」は、地図上の所定の地点の緯度を示す情報である。「標高」は、当該地点の標高を示す情報である。「色情報（ＲＧＢ）」は、当該緯度および当該標高の地図上に色付けする色を示す情報である。
【００２２】
図１に戻り、ベクトル地図データ３１２は、地図の描画対象となるポイント（点）、ライン（線）、ポリゴン（面）および属性等を、階層化された地理的範囲に対応して保持したものである。地図デザインデータ３１３は、「図式」とも呼ばれ、道路の太さや色などの指定を保持したものである。
【００２３】
初期色付けテーブル生成部３０１は、所定のタイミングで処理を行ない、初期状態の色付けテーブル３１１を生成する機能を有している。初期色付けテーブル生成部３０１での処理には、自動で行われる部分と、手動により補正が行われる部分とが含まれる。
【００２４】
色付けテーブル季節補正部３０２は、初期状態もしくは既に補正が行われた色付けテーブル３１１に対して、季節に応じた補正、例えば、冬の地域については拡大した積雪部分についての色付けや、夏の地域については拡大した緑地部分についての色付け等のための補正を行なう機能を有している。色付けテーブル季節補正部３０２での処理には、自動で行われる部分と、手動により補正が行われる部分とが含まれる。季節に応じた補正を行わない場合、色付けテーブル季節補正部３０２は省略することができる。
【００２５】
色付けテーブル特定事象補正部３０３は、初期状態もしくは既に補正が行われた色付けテーブル３１１に対して、特定の事象、例えば、桜の開花状態を示す色付けや、紅葉の状態を示す色付け等のための補正を行なう機能を有している。色付けテーブル特定事象補正部３０３での処理には、自動で行われる部分と、手動により補正が行われる部分とが含まれる。特定の事象に応じた補正を行わない場合、色付けテーブル特定事象補正部３０３は省略することができる。
【００２６】
地図配信要求受付部３０４は、端末装置２のブラウザ２１から地図表示のための配信要求を受け付ける機能を有している。
【００２７】
地図描画部３０５は、ユーザにより指定された表示地域について、指定されたズームレベル（整数値）およびユーザ希望拡大率に従い、色付けテーブル３１１、ベクトル地図データ３１２および地図デザインデータ３１３から地図画像を描画（ラスタライズ）して生成する機能を有している。処理の詳細については後述する。ユーザ希望拡大率は、飛び飛びの値であるズームレベルの間（指定されたズームレベルと次のズームレベルの間）のユーザの希望する拡大率である。ズームレベルとユーザ希望拡大率の指定は、例えば、スライド可能なゲージを表示したユーザインタフェースにより行われる。
【００２８】
地図配信部３０６は、地図描画部３０５により生成（描画）された地図画像をページにレイアウトし、要求元の端末装置２のブラウザ２１に送信する機能を有している。
【００２９】
＜動作＞
図３は初期色付けテーブル生成部３０１による初期色付けテーブル作成の処理例を示すフローチャートである。
【００３０】
図３において、先ず、初期色付けテーブル生成部３０１は、緯度０°（赤道）における万年雪の下限の標高を取得する（ステップＳ１０１）。これは、予め式で計算した設定値を保持しておいて単に取得してもよいし、所定の式でその都度に算出してもよい。
【００３１】
一般に、万年雪は気温が−１０°Ｃ未満になっていることが条件とされており、赤道の海抜０ｍでの平均気温を仮に２７°Ｃ（シンガポールは緯度１°、標高５ｍで年間平均気温が２７．４°Ｃ）とすると、標高が１００ｍ上がると０．６５°Ｃ気温が下がるという事実から、標高をｈとすると、
−１０  ＝  ２７  −  ０．６５  ／  １００  ×  ｈ
をｈについて解けばよく、
ｈ  ＝  （２７  ＋  １０）  ／  ０．６５  ×  １００  ≒  ５６９２
となり、大雑把な値として、緯度０°（赤道）における万年雪の下限の標高は６０００ｍ程度となる。
【００３２】
次いで、初期色付けテーブル生成部３０１は、緯度０°（赤道）における森林限界の標高を取得する（ステップＳ１０２）。これは、予め式で計算した設定値を保持しておいて単に取得してもよいし、所定の式でその都度に算出してもよい。
【００３３】
一般に、森林限界は気温が５．５°Ｃ〜７．５°Ｃが条件とされており、間を取って６．５°Ｃとし、万年雪の場合と同様に、
６．５  ＝  ２７  −  ０．６５  ／  １００  ×  ｈ
をｈについて解くと、
ｈ  ＝  （２７  −  ６．５）  ／  ０．６５  ×  １００  ≒  ３１５４
となり、大雑把な値として、緯度０°（赤道）における森林限界の標高は３５００ｍ程度となる。
【００３４】
次いで、初期色付けテーブル生成部３０１は、緯度に対する相対日射量（緯度０°（赤道）における日射量に対する比率）を取得する（ステップＳ１０３）。これは、予め式で計算した設定値を保持しておいて単に取得してもよいし、所定の式でその都度に算出してもよい。
【００３５】
図４は日射量の計算の説明図であり、赤道の近傍の帯状の領域の日射量を「１」とすると、緯度λの点Ｐの近傍の帯状の領域の日射量（相対日射量）は、
相対日射量  ＝  cos2 λ
となる。
【００３６】
図５は緯度と相対日射量の関係を示す図であり、横軸は緯度、縦軸は相対日射量を示している。緯度が大きくなるにつれ、下降していく曲線となる。
【００３７】
図３に戻り、初期色付けテーブル生成部３０１は、緯度０°（赤道）における万年雪の下限の標高に緯度毎の相対日射量を乗算し、緯度と標高の曲線式を生成する（ステップＳ１０４）。曲線式は直線式の組み合わせでもよい。
【００３８】
次いで、初期色付けテーブル生成部３０１は、緯度０°（赤道）における森林限界の標高に緯度毎の相対日射量を乗算し、緯度と標高の曲線式を生成する（ステップＳ１０５）。曲線式は直線式の組み合わせでもよい。
【００３９】
次いで、初期色付けテーブル生成部３０１は、実際の気象データ等を入力し、それに基づき、上記の曲線式（緯度に対する万年雪の下限と森林限界の標高）を修正する（ステップＳ１０６）。なお、色付けテーブル３１１の生成後に、所定のユーザインタフェースにより手動で修正してもよい。
【００４０】
図６は緯度に対する万年雪の下限と森林限界の標高の例を示す図であり、横軸は緯度、縦軸は標高を示している。縦軸の切片は、万年雪の下限については約６０００ｍであり、森林限界については約３５００ｍである。
【００４１】
図３に戻り、初期色付けテーブル生成部３０１は、修正後の曲線式から、色付けテーブル３１１を生成する（ステップＳ１０７）。すなわち、万年雪の下限を示す曲線と森林限界を示す曲線のそれぞれから、緯度と標高について所定間隔もしくは所定のルールに基づくピッチで代表的な点を抽出し、緯度と標高とを初期色付けテーブル生成部３０１に対応付けて設定する。なお、この時点では色情報は空欄である。
【００４２】
次いで、初期色付けテーブル生成部３０１は、各緯度における万年雪の下限の標高よりも所定値以上大きい緯度における色情報は例えば積雪の状態を表わす白色、各緯度における森林限界の標高付近における色情報は例えば枯れた樹木を表わす黄色、各緯度における標高０付近における色情報は例えば生きた樹木を表わす緑色を設定する（ステップＳ１０８）。このような処理により、初期状態の色付けテーブル３１１の生成を完了する。
【００４３】
図１に戻り、色付けテーブル季節補正部３０２は、季節に応じた補正を行う場合、緯度毎の気温変化等を考慮し、色付けテーブル３１１の色情報を補正する。補正は自動で行えない部分については、人手により行う。緯度と標高と色情報の組み合わせからなる色付けテーブル３１１のテーブル要素が不足する場合には、新たにテーブル要素を追加してもよい。
【００４４】
また、色付けテーブル特定事象補正部３０３は、桜の開花状態や紅葉の状態といった特定事象に応じた補正を行う場合、緯度毎の気温変化や地域の特性等を考慮し、色付けテーブル３１１の色情報を補正する。補正は自動で行えない部分については、人手により行う。
【００４５】
図７は桜の開花に応じた補正を行う例を示す図であり、緯度３０°〜４５°付近において桜の開花を示す点が付加されている。色付けテーブル３１１上では、桜の開花を示す点およびその周辺の点につき、緯度と標高と色情報（例えば、桜の開花をイメージさせるピンク）のテーブル要素が設定される。
【００４６】
図８は紅葉に応じた補正を行う例を示す図であり、緯度３５°〜４５°付近において紅葉を示す点が付加されている。色付けテーブル３１１上では、紅葉を示す点およびその周辺の点につき、緯度と標高と色情報（例えば、紅葉をイメージさせる赤）のテーブル要素が設定される。
【００４７】
図９は上記の実施形態における地図表示時の処理例を示すシーケンス図である。
【００４８】
図９において、端末装置２のブラウザ２１から地図トップページ表示リクエストを地図情報提供装置３に送信すると（ステップＳ２０１）、このリクエストを地図配信要求受付部３０４が受け付け、地図トップページのページデータを返送し（ステップＳ２０２）、端末装置２のブラウザ２１は地図トップページを表示する（ステップＳ２０３）。
【００４９】
次いで、地図トップページもしくはそこから遷移する他ページのユーザインタフェースを介して、端末装置２のブラウザ２１から表示地域の指定を受け付ける（ステップＳ２０４）。表示地域の指定は、地名やランドマークの入力、地図上からの中心点の指定等により行われる。
【００５０】
次いで、地図トップページもしくはそこから遷移する他ページのユーザインタフェースを介して、ズームレベル（整数値）の指定を受け付ける（ステップＳ２０５）。ズームレベルの指定は、例えば、スライド可能なゲージを表示したユーザインタフェースにより行われる。
【００５１】
次いで、地図トップページもしくはそこから遷移する他ページのユーザインタフェースを介して、飛び飛びの値であるズームレベルの間（指定されたズームレベルと次のズームレベルの間）のユーザの希望する拡大率の指定を受け付ける（ステップＳ２０６）。ユーザ希望拡大率の指定は、例えば、スライド可能なゲージを表示したユーザインタフェースにより行われる。
【００５２】
次いで、地図情報提供装置３の地図描画部３０５は、指定された表示地域について、指定されたズームレベルに従って、色付けテーブル３１１とベクトル地図データ３１２と地図デザインデータ３１３に基づいて地図画像を描画（ラスタライズ）する。
【００５３】
すなわち、先ず、地図描画部３０５は、ベクトル地図データ３１２から表示領域に対応する必要な範囲のデータを読み込む（ステップＳ２０７）。
【００５４】
次いで、地図描画部３０５は、地図デザインデータ３１３を読み込む（ステップＳ２０８）。
【００５５】
次いで、地図描画部３０５は、ベクトル地図データ３１２に地図デザインデータ３１３を適用し、道路の太さなどのサイズ的な要素を決定する（ステップＳ２０９）。
【００５６】
次いで、地図描画部３０５は、ベクトル地図データ３１２に地図デザインデータ３１３を適用して道路の色などを決定するとともに、描画する地点の緯度と標高から色付けテーブル３１１を参照して色情報を決定し、更に、描画する地点の周辺の複数の地点の標高から得られる地面の傾斜方向から陰の色情報を決定する（ステップＳ２１０）。
【００５７】
ここで、色付けテーブル３１１による色情報の決定は、例えば、次の手順により行う。
・描画範囲の各地点の緯度と標高からなる２次元空間の点について、当該点を囲み、かつ緯度方向が平行な台形を設定し、その頂点に対応した４組のテーブル要素を色付けテーブル３１１から取得
・一方の等緯度の２組のテーブル要素の色情報を標高方向に対して線形補間
・もう一方の等緯度の２組のテーブル要素の色情報を標高方向に対して線形補間
・上記線形補間した２組の色情報を緯度方向に対して線形補間
【００５８】
具体的に、ある特定の位置の描画色を計算するために、色の基準点４点を以下のルールで選択する。
Ａ）描画位置以下で最大の緯度かつ描画位置以下で最高の標高
Ｂ）描画位置以下で最大の緯度かつ描画位置以上で最低の標高
Ｃ）描画位置以上で最小の緯度かつ描画位置以下で最高の標高
Ｄ）描画位置以上で最小の緯度かつ描画位置以上で最低の標高
【００５９】
例えば、図１０（ａ）のようにＰ、Ｑ、Ｒを描画色を計算する描画点とすると、基準点Ａ）〜Ｄ）の該当点は図１０（ｂ）のようになる。なお、点Ｑは台形Ｂ１Ｃ２Ｃ３Ｂ２で囲まないように、点Ｒは台形Ｂ１Ｃ１Ｃ２Ｂ２で囲まないように注意されたい。
【００６０】
ここで、例えば、台形Ａ１Ｂ１Ｂ２Ａ２メッシュ内の点Ｐの色を計算すると、以下のようになる。
ｉ．  点Ｐの標高ｈに対応する点Ａ１と点Ａ２の間の点Ａ１２の描画色ｃ１２を点Ａ１および点Ａ２の標高ｈ１、標高ｈ２と描画色ｃ１、ｃ２を用いて線型補間
ｃ１２＝（ｈ-ｈ１）／（ｈ２-ｈ１）＊（ｃ２-ｃ１）＋ｃ１
ii．  点Ｐの標高ｈに対応する点Ｂ１と点Ｂ２の間の点Ｂ１２の描画色ｃ３４を点Ｂ１および点Ｂ２の標高ｈ３、標高ｈ４と描画色ｃ３、ｃ４を用いて線型補間
ｃ３４＝（ｈ-ｈ３）／（ｈ４-ｈ３）＊（ｃ４-ｃ３）＋ｃ３
iii.  点Ｐ（緯度ｌ（エル））の描画色ｃを点Ａ１２および点Ｂ１２の緯度ｌ１、ｌ２と描画色ｃ１２、ｃ３４を用いて線型補間
ｃ＝（ｌ-ｌ１）／（ｌ２-ｌ１）＊（ｃ３４-ｃ１２）＋ｃ１２
【００６１】
また、陰の決定は、例えば、次の手順、
・周囲の複数の地点の標高から地面の傾斜方向（法線ベクトル）を算出
・日照の方向ベクトル（既定値）と法線ベクトルから陰の色情報を算出
により行う。
【００６２】
色付けテーブル３１１から決定した色情報による色と、陰として決定した色とを加算した色がその地点の色付けに用いられる。
【００６３】
次いで、地図描画部３０５は、指定された表示地域につき、指定されたズームレベルおよび決定された色情報に基づき、ベクトル地図データ３１２から描画領域（メモリ）上で描画（ラスタライズ）を行ない、ラスタ画像による地図画像を生成する（ステップＳ２１１）。
【００６４】
次いで、地図配信部３０６は、地図描画部３０５により生成（描画）された地図画像をページにレイアウトし（ステップＳ２１２）、要求元の端末装置２のブラウザ２１に地図ページのページデータを送信し（ステップＳ２１３）、端末装置２のブラウザ２１により表示される（ステップＳ２１４）。図１１は表示される地図の例を示す図である。
【００６５】
＜総括＞
以上説明したように、本実施形態によれば、ベクトル地図データを用いた地図画像の生成の仕組をベースに、気候を考慮した色付けの環境をほぼ自動的に構築することができる。
【００６６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００６７】
１          ネットワーク
２          端末装置
２１        ブラウザ
３          地図情報提供装置
３０１      初期色付けテーブル生成部
３０２      色付けテーブル季節補正部
３０３      色付けテーブル特定事象補正部
３０４      地図配信要求受付部
３０５      地図描画部
３０６      地図配信部
３１１      色付けテーブル
３１２      ベクトル地図データ
３１３      地図デザインデータ
【図１】
2014066741.tif 000003
【図２】
2014066741.tif 000004
【図３】
2014066741.tif 000005
【図４】
2014066741.tif 000006
【図５】
2014066741.tif 000007
【図９】
2014066741.tif 000008
【図１０】
2014066741.tif 000009
【図６】
2014066741.tif 000010
【図７】
2014066741.tif 000011
【図８】
2014066741.tif 000012
【図１１】
2014066741.tif 000013